(57)【要約】【課題】保管時に清掃具を乾燥させ易い清掃具用スタンドを提供する。【解決手段】清掃対象物にヘッド部２２０を押し付けて清掃する清掃具２００又は清掃具２００の柄部２１０を保管対象物とする清掃具用スタンド１００であって、床面等に載置される載置面１１１ａを有する本体部１１０と、本体部１１０に備えられ、前記保管対象物を支持する第一支持部１２０及び第二支持部１３０を備え、第一支持部１２０及び第二支持部１３０は、前記保管対象物が本体部１１０に接しない状態で、前記保管対象物を支持する。【選択図】図４
2020000385.tif 000002
【特許請求の範囲】
【請求項１】
清掃対象物にヘッド部を押し付けて清掃する清掃具又は当該清掃具の柄部を保管対象物とする清掃具用スタンドであって、
床面等に載置される載置面を有する本体部と、
前記本体部に備えられ、前記保管対象物を支持する第一支持部及び第二支持部と、を備え、
前記第一支持部及び前記第二支持部は、前記保管対象物が前記本体部に接しない状態で、前記保管対象物を支持することを特徴とする清掃具用スタンド。
【請求項２】
前記本体部は、前記載置面が形成された底面部と、前記底面部から立設する背面部と、を備え、
前記第一支持部は前記底面部に備えられ、前記第二支持部は前記背面部に備えられていることを特徴とする請求項１に記載の清掃具用スタンド。
【請求項３】
前記本体部は、前記載置面が形成された底面部を備え、
前記第一支持部及び前記第二支持部は、前記底面部に備えられていることを特徴とする請求項１に記載の清掃具用スタンド。
【請求項４】
前記本体部は、前記載置面が形成された底面部と、前記底面部から立設する背面部と、を備え、
前記第一支持部及び前記第二支持部は、前記背面部に、同一の高さにおいて、所定の間隔を空けて同一方向へと延出するように備えられていることを特徴とする請求項１に記載の清掃具用スタンド。
【請求項５】
前記第二支持部は、水平方向へと突出する柱状に形成されていることを特徴とする請求項２に記載の清掃具用スタンド。
【請求項６】
前記清掃具は、前記柄部と前記ヘッド部とが着脱自在に形成され、
前記本体部に、前記ヘッド部を収納する収納部を備えることを特徴とする請求項１から５のいずれか一項に記載の清掃具用スタンド。
【発明の詳細な説明】
【技術分野】
【０００１】
本発明は、清掃具用スタンドに関する。
【背景技術】
【０００２】
従来、トイレに設置された便器の清掃に用いられるクリーニングブラシ等の清掃具が普及している。このような清掃具は、使用者が柄を持ち、ヘッド部により便器の内面を擦って汚れを落とすように使用されるが、清潔性への不安から、不使用時には、その保管のために専用のスタンドが用いられる（例えば、特許文献１参照）。
【先行技術文献】
【特許文献】
【０００３】
【特許文献１】特許第４１７７４４４号公報
【発明の概要】
【発明が解決しようとする課題】
【０００４】
このような清掃具用スタンドにおいては、衛生性を保つため、清掃時に濡れることとなる清掃具の先端付近が覆われることなく、乾燥し易い状態で保管されることが望ましい。
しかし、特許文献１に記載の清掃具用スタンドにおいては、清掃具の先端付近が容器内に収納されることから、これが乾燥し難かった。
【０００５】
本発明の課題は、保管時に清掃具を乾燥させ易い清掃具用スタンドを提供することである。
【課題を解決するための手段】
【０００６】
上記課題を解決するために、請求項１に記載の発明は、
清掃対象物にヘッド部を押し付けて清掃する清掃具又は当該清掃具の柄部を保管対象物とする清掃具用スタンドであって、
床面等に載置される載置面を有する本体部と、
前記本体部に備えられ、前記保管対象物を支持する第一支持部及び第二支持部と、を備え、
前記第一支持部及び前記第二支持部は、前記保管対象物が前記本体部に接しない状態で、前記保管対象物を支持することを特徴とする。
本発明によれば、保管時に清掃具を乾燥させ易い清掃具用スタンドを提供することができる。
【０００７】
請求項２に記載の発明は、請求項１に記載の清掃具用スタンドであって、
前記本体部は、前記載置面が形成された底面部と、前記底面部から立設する背面部と、を備え、
前記第一支持部は前記底面部に備えられ、前記第二支持部は前記背面部に備えられていることを特徴とする。
本発明によれば、保管時に清掃具を乾燥させ易い清掃具用スタンドを提供することができる。
【０００８】
請求項３に記載の発明は、請求項１に記載の清掃具用スタンドであって、
前記本体部は、前記載置面が形成された底面部を備え、
前記第一支持部及び前記第二支持部は、前記底面部に備えられていることを特徴とする。
本発明によれば、保管時に清掃具を乾燥させ易い清掃具用スタンドを提供することができる。
【０００９】
請求項４に記載の発明は、請求項１に記載の清掃具用スタンドであって、
前記本体部は、前記載置面が形成された底面部と、前記底面部から立設する背面部と、を備え、
前記第一支持部及び前記第二支持部は、前記背面部に、同一の高さにおいて、所定の間隔を空けて同一方向へと延出するように備えられていることを特徴とする。
本発明によれば、保管時に清掃具を乾燥させ易い清掃具用スタンドを提供することができる。
【００１０】
請求項５に記載の発明は、請求項２に記載の清掃具用スタンドであって、
前記第二支持部は、水平方向へと突出する柱状に形成されていることを特徴とする。
本発明によれば、保管時に清掃具を乾燥させ易い清掃具用スタンドを提供することができる。
【００１１】
請求項６に記載の発明は、請求項１から５のいずれか一項に記載の清掃具用スタンドであって、
前記清掃具は、前記柄部と前記ヘッド部とが着脱自在に形成され、
前記本体部に、前記ヘッド部を収納する収納部を備えることを特徴とする。
本発明によれば、柄部に取り付けられていないヘッド部の保管が容易となる。
【発明の効果】
【００１２】
本発明によれば、保管時に清掃具を乾燥させ易い清掃具用スタンドを提供することができる。
【図面の簡単な説明】
【００１３】
【図１】実施形態に係る清掃具用スタンドに載置される清掃具の一例を示す斜視図である。
【図２】実施形態に係る清掃具用スタンドに載置される清掃具の一例を示す側面図である。
【図３】実施形態に係る清掃具用スタンドに載置される清掃具の一例を示す側面図である。
【図４】第一実施形態に係る清掃具用スタンドの斜視図である。
【図５】第一実施形態に係る清掃具用スタンドに清掃具の柄部が載置された状態を示す側面図である。
【図６】第二実施形態に係る清掃具用スタンドの斜視図である。
【図７】第二実施形態に係る清掃具用スタンドに清掃具の柄部が載置された状態を示す側面図である。
【図８】第三実施形態に係る清掃具用スタンドに清掃具の柄部が載置された状態を示す正面図である。
【図９】第三実施形態に係る清掃具用スタンドに清掃具の柄部が載置された状態を示す側面図である。
【図１０】第四実施形態に係る清掃具用スタンドに清掃具の柄部が載置された状態を示す正面図である。
【図１１】第四実施形態に係る清掃具用スタンドに清掃具の柄部が載置された状態を示す側面図である。
【図１２】変形例に係る清掃具用スタンドの斜視図である。
【発明を実施するための形態】
【００１４】
以下、本発明の実施形態である清掃具用スタンドの具体的な態様について、図１から図１２に基づいて説明する。ただし、本発明の技術的範囲は、図示例に限定されない。
【００１５】
［第一実施形態］
第一実施形態に係る清掃具用スタンド１００について、図１から図５に基づいて説明する。なお、以下においては、図４に示すように、前後方向、左右方向及び上下方向並びにＸ軸、Ｙ軸及びＺ軸を定めて説明する。すなわち、清掃具用スタンドの本体部の底面部に載置面が形成された側を「下」、その反対側を「上」とし、上下方向に沿った軸をＺ軸とする。また、Ｚ軸方向から見て、清掃具用スタンドの本体部の底面部と背面部とが接続されている方向を「後」、その反対側を「前」とし、前後方向に沿った軸をＸ軸とする。また、後側を向いた状態における右手側を「右」、後側を向いた状態における左手側を「左」とし、左右方向に沿った軸をＹ軸とする。
【００１６】
｛実施形態の構成｝
清掃具用スタンド１００は、トイレに設置された便器の清掃等に用いられる清掃具を載置するためのスタンドである。したがって、まず、清掃具用スタンド１００に載置される清掃具の一例について説明し、続いて本実施形態に係る清掃具用スタンド１００について説明する。
【００１７】
（清掃具）
清掃具２００は、トイレに設置された便器の清掃などに用いられるものであり、図１及び図２に示すように、清掃具２００の使用者が把持する柄部２１０と、柄部２１０に取り付けられるヘッド部２２０と、から構成される。
【００１８】
（柄部）
柄部２１０は、清掃具２００の使用者が把持する部分である把持部２１１と、把持部２１１と接続され、ヘッド部２２０を着脱自在に取り付ける取付部２１３が備えられた先端部２１２と、から構成される。
柄部２１０を形成する材料としては、取付部２１３にヘッド部２を取り付けて清掃を行うことができる強度を有するものであれば任意であるが、例えば、ＡＢＳ樹脂（アクリロニトリル・ブタジエン・スチレン共重合樹脂）、ＰＰ（ポリプロピレン）、ＰＥ（ポリエチレン）、ＰＯＭ（ポリアセタール）、ＣＮＦ（セルロースナノファイバー）、木材、金属等を用いることができる。
【００１９】
（把持部）
把持部２１１は、清掃具２００の使用者が把持する部分であり、図１及び図２に示すように、先端部２１２と比較して長さの長い棒状に形成される。
【００２０】
把持部２１１は、長さ方向（図１及び図２におけるＺ軸方向）において、湾曲した部分を有しない直線状の棒状に形成されることが好ましい。なお、ここで「湾曲した部分を有しない直線状」とは、棒状の把持部２１１の中心軸（図１及び図２においてはＺ軸に沿った軸）が直線であることをいい、表面に凹凸や歪みを有するものを含むものとする。
把持部２１１の長さは、Ｚ軸方向に３００ｍｍから６５０ｍｍであることが好ましく、３４０ｍｍから４５０ｍｍであることがさらに好ましい。ここで把持部２１１の長さとは、先端部２１２と接続されているのと反対側の端部から、先端部２１２と接続されている側の端部のうち、最も下方に位置する部分までの長さ（図２におけるＡ）を指す。
また、使用者が把持し易くするため、把持部２１１の断面形状（図１及び図２におけるＸＹ面に沿った断面おける形状）は円形であり、全体が円柱状に形成されることが望ましい。また、断面の直径が１０ｍｍから４０ｍｍであることが好ましく、１５ｍｍから３０ｍｍであることがさらに好ましい。ただし、断面形状は円形に限定されず、例えば四角形、三角形、楕円形等であってもよい。
【００２１】
（先端部）
先端部２１２は、柄部１のヘッド部２が取り付けられる部分であり、図１に示すように、把持部２１１と比較して長さの短い棒状に形成され、一端部が把持部２１１と接続され、他端部にヘッド部２２０を取り付ける取付部２１３を備える。
【００２２】
先端部２１２は、長さ方向（図１及び図２におけるＸ軸方向）に湾曲した部分を有しない直線状の棒状に形成されることが好ましい。なお、ここでも「湾曲した部分を有しない直線状」とは、棒状の先端部２１２の中心軸（図１及び図２においてはＸ軸に沿った軸）が直線であることをいい、表面に凹凸や歪みを有するものを含むものとする。
先端部２１２の長さは、Ｘ軸方向に７０ｍｍ以下であることが好ましく、４０ｍｍ以下であることがさらに好ましい。ここで、先端部２１２の長さとは、把持部２１１と接続されているのと反対側の端部（取付部２１３の先端）から、把持部２１１と接続されている側の端部のうち、最も図１及び図２における後方に位置する部分までの長さ（図２におけるＢ）を指す。
また、先端部２１２の断面形状（図１及び図２におけるＹＺ面に沿った断面における形状）は正方形状であり、取付部２１３を除いて全体が略四角柱状に形成されることが望ましい。また、断面の一辺の長さが２０ｍｍから４０ｍｍであることが好ましく、２０ｍｍから３５ｍｍであることがさらに好ましい。ただし、断面形状は正方形に限定されず、例えば矩形、三角形、円形、楕円形等であってもよい。
【００２３】
（取付部）
取付部２１３は、先端部２１２の把持部２１１に接続されているのと反対側の端部に形成された、柄部２１０にヘッド部２２０を着脱自在に取り付けるための部分であり、図１及び図２に示すように、所定の間隔を空けて同一方向へと延出する第一延出部２１３ａと、第二延出部２１３ｂと、を備える。
【００２４】
第一延出部２１３ａは、図１及び図２に示すように、先端部２１２の把持部２１１と接続されている側と反対側の端部（図１及び図２における前端部）の上側に形成された、先端部２１２の長さ方向へと板状に突出する部分である。
第二延出部２１３ｂは、図１及び図２に示すように、先端部２１２の把持部２１１と接続されている側と反対側の端部（図１及び図２における前端部）の下側に形成された、先端部２１２の長さ方向へと板状に突出する部分である。
【００２５】
第一延出部２１３ａ及び第二延出部２１３ｂは、共にＸ軸方向の長さが、好ましくは３５ｍｍ以下、さらに好ましくは３０ｍｍ以下となるように形成される。
また、第一延出部２１３ａと第二延出部２１３ｂとの間隔は、３ｍｍから２０ｍｍであることが好ましく、５ｍｍから１８ｍｍであることがさらに好ましい。
【００２６】
第一延出部２１３ａ及び第二延出部２１３ｂの間隔を、使用するヘッド部２の厚みよりも僅かに狭くし、ヘッド部２２０を圧縮しつつ第一延出部２１３ａと、第二延出部２１３ｂとの間に挟み込むようにすることで、図１及び図２に示すようにヘッド部２２０を柄部２１０に対して固定することができる。
【００２７】
なお、図示していないが、取付部２１３は、第一延出部２１３ａのＹ方向における中央部に、上方向へと凹状となる凹部を備え、第二延出部２１３ｂのＹ方向における中央部に、上方向へと凸状となる凸部を備えることが好ましい。この場合、ヘッド部２２０をＹ軸方向の両端部同士が近づくように湾曲した状態で取り付けることが可能となり、清掃時のヘッド部２２０の強度を向上させることができる。なお、反対に第一延出部２１３ａのＹ方向における中央部に、下方向へと凸状となる凸部を備え、第二延出部２１３ｂのＹ方向における中央部に、下方向へと凹状となる凹部を備えてもよい。
【００２８】
（把持部と先端部の関係）
把持部２１１と先端部２１２とは、図１及び図２に示すように、把持部２１１の一端部と、先端部２１２の取付部２１３が備えられていない一端部とにおいて接続されているが、これらの接続角度（図１における角θ）が、４５°より大きく、１３５°より小さくなるように形成されることが好ましい。この角度であれば、便器の縁部の下面側やその近傍の清掃を行い易くなる。また、これらの接続角度が、略９０°となるように形成され、柄部２１０が、Ｙ方向から見てＬ字型となるように形成されていることが最も好ましい。
【００２９】
また、把持部２１１と先端部２１２との長さの比率は、把持部２１１の長さを図１におけるＡとし、先端部２１２の長さを図１におけるＢとした場合に、全体の長さ（Ａ＋Ｂ）を１００％として、把持部２１１の長さＡが、８５％＜Ａ＜１００％、先端部２１２の長さが、０％＜Ｂ≦１５％となることが望ましい。
【００３０】
なお、先端部の長さを短くしていくと、図３に示す清掃具２００Ａのように、柄部２１０Ａの全体が直線状となるように形成された上で、側面（図３においては前側）に、柄部２１０Ａの側面から突出するようにヘッド部２２０を取り付ける取付部２１３Ａが備えられた状態となる。この場合、取付部２１３Ａは、柄部２１０Ａの側面に備えられた、Ｚ方向において取付部２１３における第一延出部２１３ａと第二延出部２１３ｂとの間隔と等しい幅となる溝として形成することができる
【００３１】
（ヘッド部）
ヘッド部２２０は、図１から図３に示すように、取付部２１３又は２１３Ａによって柄部１に着脱自在に取り付けられて、便器の内面などの被清掃面に押し付けられてその清掃を行うための部材である。
【００３２】
ヘッド部２２０としては、取付部２１３又は２１３Ａによって柄部２１０に取り付けて使用され、便器等の被清掃面の清掃に用いることができるものであれば任意であるが、水解性を有する素材により形成され、清掃後、柄部２１０の取付部２１３又は２１３Ａから外して便器に流すことが可能であることが好ましい。
【００３３】
具体的には、例えばヘッド部２２０は、水解性を有する一枚のシート体を折り畳むことで２層以上重ね合わされた積層体により形成される。一枚のシート体を折り畳んでヘッド部２を形成することで、その製造を容易にすることができる。
なお、製造の容易性は低下するものの、複数枚のシート体を重ね合わせることで積層体が形成されていてもよい。また、複数枚のシート体を重ね合わせた上で、これをさらに折り畳むことによって、積層体が形成されていてもよい。
このようにヘッド部２２０を積層体とすることで、便器に流す際に水に対してほぐれやすくすることができる。
【００３４】
また、ヘッド部２２０に用いられる水解性を有するシート体としては、例えば、湿式抄紙法により作製される水解紙や、エアレイド不織布などを用いることができる。このようなシート体の原料には、バージンパルプが用いられることが好ましい。古紙再生パルプには樹脂や石灰等の異物が混入することがあり、これによって、清掃時に被清掃面に傷がつき易くなる、流した際に所望の水解性が得られず詰まり易くなるといったリスクが生じるためである。
【００３５】
ヘッド部２は、平面視において長辺４０ｍｍから６０ｍｍ、短辺３５ｍｍから５５ｍｍの長方形状に形成され、厚みが５ｍｍから２０ｍｍとなるように形成されることが好ましい。
また、ヘッド部２は、柄部１に対し、取付部２１３又は２１３Ａの先端から、２０ｍｍから４０ｍｍ突出するように取り付けられることが好ましく、３０ｍｍ突出するように取り付けられることが最も好ましい。
【００３６】
なお、ヘッド部２２０は、必ずしも柄部２１０に対して着脱自在であることを要せず、柄部２１０と一体として構成されていてもよい。
【００３７】
（清掃具用スタンド）
次に清掃具用スタンド１００について説明する。なお、上記のように清掃具２００は、使用後のヘッド部２２０を柄部２１０から外して破棄できるものであることから、以下においては、図５に示すように清掃具用スタンド１００に、清掃具２００の柄部２１０のみを載置する場合を例として説明する。ただし、これに限られず、ヘッド部２２０が付いた状態の清掃具２００を載置することも可能である。
【００３８】
清掃具用スタンド１００は、図４及び図５に示すように、本体部１１０と、第一支持部１２０と、第二支持部１３０と、を備える。清掃具用スタンド１００の材料は、吸水性を有せず、かつ、清掃具を載置することができる強度を有するものであれば任意であるが、例えば、ＰＰ（ポリプロピレン）、ＰＥ（ポリエチレン）、ＡＢＳ（アクリロニトリル・ブタジエン・スチレン共重合樹脂）、ＰＥＴ（ポリエチレンテレフタレート）等の材料を用いて形成される。
【００３９】
（本体部）
本体部１１０は、図４及び図５に示すように、底面部１１１と、底面部１１１から立設するように底面部１１１と接続された背面部１１２とからなる。
【００４０】
（底面部）
底面部１１１は、本体部１１０の下部に備えられた、床面等に載置される部分であり、下面が床面等に載置される載置面１１１ａとして平面となるように形成された板状に形成されている。
底面部１１１の形状及び大きさは、図５に示すように柄部２１０を載置した状態、又は清掃具２００を載置した状態において転倒しないものであれば任意であるが、平面視において、図４及び図５におけるＸ方向に４０ｍｍから１２０ｍｍ、図４及び図５におけるＹ方向に５５ｍｍから１１０ｍｍであることが好ましく、図４及び図５におけるＸ方向に６０ｍｍから８０ｍｍ、図４及び図５におけるＹ方向に６５ｍｍから８５ｍｍであることがさらに好ましい。図４においては、底面部１１１が平面視矩形状となるように形成された場合につき図示したが、底面部１１１の形状はこれに限られない。
【００４１】
（背面部）
背面部１１２は、底面部１１１の平面視における端部付近（図４及び図５においては後端部付近）から略垂直に上方へと立設する部分であり，高さがＺ方向に、好ましくは３００ｍｍから６５０ｍｍ、さらに好ましくは３４０ｍｍから４５０ｍｍとなり、幅がＹ方向に、好ましくは１０ｍｍから４０ｍｍ、さらに好ましくは１５ｍｍから３０ｍｍとなるように形成される。
図４においては、背面部１１２が、Ｘ方向から見て、全体が矩形状となるように形成された場合につき図示したが、背面部１１２は、後述の第二支持部１３０を備えることができるものであればよく、具体的な形状はこれに限られない。
なお、背面部１１２が底面部１１１から立設する角度は、必ずしも略垂直には限られず、載置することが予定される柄部２１０における、把持部２１１と先端部２１２との接続角度と一致するように定められることが好ましい。
【００４２】
（第一支持部）
第一支持部１２０は、図４及び図５に示すように、本体部１１０の底面部１１１の上面、すなわち載置面１１１ａの反対側の面に形成された上方へと突出する突出部であり、柄部２１０を下方から支えるための部分である。
第一支持部１２０の具体的な形状は、柄部２１０を下方から支えることができるものであれば任意であるが、柄部２１０と接する部分、すなわち上端部の形状が、柄部２１０の先端部２１２と線状に接するものであることが望ましい。この場合、柄部２１０が第一支持部１２０と接する面積が狭くなり、柄部２１０をより乾燥させ易くなる。
具体的には、例えば図４及び図５に示すように、第一支持部１２０は、Ｙ方向から見て三角形となる三角柱状に形成され、図５に示すように、上部に位置する一辺のみが、柄部２１０の先端部２１２の下面に接するように形成される。
その他には、例えば、Ｙ方向から見て上面に弧、下面に弦が位置する半円形となる柱状に形成されていてもよい。
第一支持部１２０の底面部１１１からの高さは、３ｍｍから３０ｍｍであることが好ましく、５ｍｍから２０ｍｍであることがさらに好ましい。
【００４３】
また、第一支持部１２０上端部のＸ方向から見た形状は、先端部２１２下面の形状に合致するものであることが好ましい。例えば、図１に示すように柄部２１０の先端部２１２が四角柱状に形成されている場合であれば、第一支持部１２０もＸ方向から見て上端部が直線状となるように形成されることが好ましい。
その他には、例えば、柄部２１０における先端部２１２が、ＹＺ面に沿った断面が円形となる円柱状に形成されている場合においては、第一支持部１２０上端部のＸ方向から見た形状も、これに対応した曲線状となるように形成されていることが好ましい。
【００４４】
なお、第一支持部１２０の形成位置は、下方から柄部２１０を支えることができればよく、図示したものには限られない。
【００４５】
（第二支持部）
第二支持部１３０は、図４及び図５に示すように、本体部１１０の背面部１１２の底面部１１１と接続されている側（図４及び図５においては前面）に形成された突出部であり、柄部２１０を水平方向（図４及び図５においては後方）から支えるための部分である。
第二支持部１３０の具体的な形状は、柄部２１０を水平方向から支えることができるものであれば任意であるが、柄部２１０と接する部分、すなわち図４及び図５においては前面側の形状が、柄部２１０の把持部２１１の形状に合致するものであることが好ましい。例えば、図１に示すように把持部２１１が円柱状に形成されている場合であれば、第二支持部１３０も前面がこれに対応した曲面状となるように形成されることが好ましい。
具体的には、図４に示すように、第二支持部１３０は前面側が平面視において把持部２１１に対応した弧を描くように形成され、背面部１１２の正面視における短手方向（図４におけるＹ方向）に好ましくは１０ｍｍから４０ｍｍ、さらに好ましくは１５ｍｍから３０ｍｍの長さを有し、背面部１１２の正面視における長手方向（図４におけるＺ方向）に好ましくは５ｍｍから３０ｍｍ、さらに好ましくは８ｍｍから２０ｍｍの長さを有し、背面部１１２からの高さ（図４におけるＸ方向）が、Ｙ方向中央部の最も低くなる地点において、好ましくは５ｍｍから２０ｍｍ、さらに好ましくは８ｍｍから１５ｍｍとなるように形成される。
【００４６】
その他には、例えば、柄部２１０における把持部２１１が、ＸＹ面に沿う断面が四角形となる四角柱状に形成されている場合においては、第二支持部１３０の前面側の形状も、これに対応し、例えば、平面状に形成されているか、又は平面視において把持部２１１のＸＹ面に沿う断面形状に合致する窪みを有し、当該窪みに把持部２１１を嵌め込むことができるように形成されていることが好ましい。
また、第二支持部１３０は、把持部２１１を乾燥し易くするため、前方へ行くほどＺ方向の幅が狭くなり、第一支持部１２０と同様、線状に柄部２１０と接するように構成されていてもよい。
【００４７】
なお、第二支持部１３０の形成位置は、後方から柄部２１０を支えることができればよく、図示したものには限られない。
【００４８】
｛実施形態の効果｝
本実施形態に係る清掃具用スタンド１００によれば、清掃具２００の柄部２１０を、図５に示すように、第一支持部１２０及び第二支持部１３０以外には触れないように保管することが可能となる。これによって、柄部２１０の保管中に、これを乾燥し易くし、衛生性を保ち易くすることができる。
【００４９】
また、柄部２１０は、第一支持部１２０と、第二支持部１３０との２点で支持されることから、安定した状態で、これを保管することができる。
例えば、柄部２１０の把持部２１１に孔部を設けた上で、当該孔部にフック等を通すことで、一点で支えられた状態で保管することによっても、柄部２１０は、支えられた孔部内面以外が開放された状態で保管することができるが、このような保管方法によった場合、柄部２１０が揺れ動いてしまう可能性がある。清掃具２００は便器等の清掃に用いられるものであり、衛生性に不安があることから、使用者はこれを嫌う場合が多い。
これに対して、本実施形態に係る清掃具用スタンド１００によれば、このようなおそれが生じることもない。
【００５０】
また、柄部２１０を第一支持部１２０と、第二支持部１３０との２点で支えるのみのシンプルな構造であることから、柄部２１０の収納及び取り出しも容易となる。
【００５１】
なお、清掃具２００は、清掃後に使用済みのヘッド部２２０を取り外して破棄することが可能であることから、図５においては、ヘッド部２２０を外し、柄部２１０のみを保管する場合につき図示したが、ヘッド部２２０が付いたままの清掃具２００をそのまま保管する場合や、ヘッド部を取り外すことができない清掃具を保管する場合等においても、柄部２１０のみを保管する場合と同様の効果を得ることができる。
すなわち、この場合、ヘッド部を含む清掃具の全体が、第一支持部１２０及び第二支持部１３０に支えられ、第一支持部１２０及び第二支持部１３０以外には触れないように保管することができ、清掃具の全体を乾燥し易くすることができる。
また、清掃具２００を、第一支持部１２０と、第二支持部１３０との２点で支持することで、安定した状態でこれを保管することができ、かつ、清掃具２００の収納及び取り出しも容易となる。
【００５２】
［第二実施形態］
第二実施形態に係る清掃具用スタンド１００Ａについて、図６及び図７に基づいて説明する。なお、第一実施形態に係る清掃具用スタンド１００と同一の部分については、同一の符号を付して説明を省略する。
【００５３】
清掃具用スタンド１００Ａは、図６及び図７に示すように、第一支持部１２０と、第二支持部１３０Ａとがいずれも底面部１１１の上面に形成されている。また、本体部１１０Ａは、背面部１１２を有しない。その他の構成は第一実施形態に係る清掃具用スタンド１００と同様である。
【００５４】
（第二支持部）
第二支持部１３０Ａは、Ｚ方向に第一支持部１２０と同じ高さとなるように形成される。また、第一支持部１２０と同様、柄部２１０の先端部２１２と線状に接するものであることが望ましい。この場合、柄部２１０が第二支持部１３０Ａと接する面積が狭くなり、柄部２１０をより乾燥させ易くなる。
具体的には、第二支持部１３０Ａは、第一支持部１２０と同様の形状及び大きさとすればよい。したがって、例えば、図６及び図７に示すＹ方向から見て三角形となる三角柱状や、Ｙ方向から見て上面に弧、下面に弦が位置する半円形となる柱状等の形状に形成されることが好ましい。
【００５５】
（本体部）
本体部１１０Ａは、背面部１１２を有せず、底面部１１１のみから構成される点を除いて、第一実施形態に係る清掃具用スタンド１００と同様である。なお、後述の本体部をコンパクトにするという効果は得られなくなるものの、本体部としては、第一実施形態と同様の背面部１１２を有するものを用いることも可能である。
【００５６】
本実施形態によれば、背面部１１２を備えないことで、本体部をコンパクトにしつつ、第一支持部１２０と第二支持部１３０Ａと、によって図７に示すように柄部２１０を支えることで、第１実施形態と同様の効果を得ることができる。
また、ヘッド部２２０が付いたままの清掃具２００をそのまま保管する場合や、ヘッド部を取り外すことができない清掃具を保管する場合等においても、柄部２１０のみを保管する場合と同様の効果を得ることができる点も、第一実施形態と同様である。
【００５７】
［第三実施形態］
第三実施形態に係る清掃具用スタンド１００Ｂについて、図８及び図９に基づいて説明する。なお、第一実施形態に係る清掃具用スタンド１００と同一の部分については、同一の符号を付して説明を省略する。
【００５８】
｛掃除具｝
まず、第三実施形態に係る清掃具用スタンド１００Ｂにおいては、掃除具として、例えば図８及び図９に示すように、柄部２１０Ｂの把持部２１１Ｂに２か所の窪み部２１１ａ、２１１ａを備えたものを用いる。
柄部２１０Ｂは窪み部２１１ａ、２１１ａを備える点を除いて、図１、図２等に示す柄部２１０と同様である。
【００５９】
（窪み部）
窪み部２１１ａ、２１１ａは、図８に示すように、把持部２１１Ｂの、先端部２１２において取付部２１３が備えられた側が向く方向（図８及び図９においては前方）から略９０度の角度となる対向する２方向（図８及び図９においては左方及び右方）に備えられた凹部である。
【００６０】
窪み部２１１ａ、２１１ａは、図８に示すように、Ｘ方向から見て、把持部２１１ＢをＸ方向に貫通するようにして、把持部２１１ＢのＺ方向において同一の高さとなる位置に備えられている。
また、窪み部２１１ａ、２１１ａは、後述の清掃具用スタンド１００Ｂの第一支持部１２０Ｂ及び第二支持部１３０ＢをＸ方向に通すことができる大きさを有する必要がある。
【００６１】
｛清掃具用スタンド｝
清掃具用スタンド１００Ｂは、図８及び図９に示すように、第一支持部１２０Ｂ及び第二支持部１３０Ｂを、共に背面部１１２に備えたものである。また、背面部１１２は、底面部１１１から略垂直に上方へと立設するように形成される。その他の構成は、第一実施形態に係る清掃具用スタンド１００と同様である。
【００６２】
第一支持部１２０Ｂ及び第二支持部１３０Ｂは、背面部１１２のＺ方向において同一の高さとなる位置に、Ｙ方向に一定の間隔を空けて、前方へと突出するように形成されている。
また、第一支持部１２０Ｂ及び第二支持部１３０Ｂは、これらの間隔が、図８に示すように、柄部２１０Ｂの把持部２１１Ｂにおける窪み部２１１ａ、２１１ａが形成された部分のＹ方向の幅と同じかこれよりも広く、把持部２１１Ｂにおける窪み部２１１ａ、２１１ａが形成された部分の直上の幅よりも狭くなるように形成されている。
また、これらはいずれも、Ｚ方向に窪み部２１１ａ、２１１ａよりも小さく、窪み部２１１ａ、２１１ａに通すことができるように形成されている。
具体的な形状としては、例えば図８に示すような円柱状や、その他、窪み部２１１ａに通すことができる形状であれば任意の形状に形成することができる。
【００６３】
また、第一支持部１２０Ｂ及び第二支持部１３０Ｂは、これらの上端部までの底面部１１１からの距離が、柄部２１０Ｂの窪み部２１１ａ、２１１ａの上端部から柄部２１０Ｂの下端部までの長さよりも長くなり、第一支持部１２０Ｂ及び第二支持部１３０Ｂが窪み部２１１ａ、２１１ａに通された状態で、図８及び図９に示すように、柄部２１０Ｂの先端部２１２と、清掃具用スタンド１００Ｂの底面部１１１との間に間隙が生じるように形成されている。
【００６４】
本実施形態によっても、図８及び図９に示すように、第一支持部１２０Ｂ及び第二支持部１３０Ｂを、把持部２１１Ｂの窪み部２１１ａ、２１１ａに通すことによって、柄部２１０Ｂを支えることができ、第一実施形態と同様の効果を得ることができる。
また、ヘッド部２２０が付いたままの清掃具２００をそのまま保管する場合や、ヘッド部を取り外すことができない清掃具を保管する場合等においても、柄部２１０のみを保管する場合と同様の効果を得ることができる点も、第一実施形態と同様である。
【００６５】
［第四実施形態］
第四実施形態に係る清掃具用スタンド１００Ｃについて、図１０及び図１１に基づいて説明する。なお、第一実施形態に係る清掃具用スタンド１００と同一の部分については、同一の符号を付して説明を省略する。
【００６６】
｛掃除具｝
まず、第四実施形態に係る清掃具用スタンド１００Ｃにおいては、掃除具として、例えば図１０に示すように、柄部２１０Ｃの把持部２１１Ｃに、これを貫通する孔部２１１ｂが形成されたものを用いる。
柄部２１０Ｃは、把持部２１１Ｃに孔部２１１ｂを備える点を除いて、図１、図２等に示す柄部２１０と同様である。
【００６７】
（孔部）
孔部２１１ｂは、図１０に示すように、先端部２１２の延在方向（図１０及び図１１においてはＸ方向）と同一の方向に、把持部２１１Ｃを貫通するように形成された孔である。
【００６８】
孔部２１１ｂは、把持部２１１ＣをＸ方向に貫通するように形成されていれば、その具体的な形状は任意であるが、後述の清掃具用スタンド１００Ｃに形成された第二支持部１３０Ｃを挿通させることができる大きさを有する必要がある。
【００６９】
｛清掃具用スタンド｝
清掃具用スタンド１００Ｃは、図１０及び図１１に示すように、背面部に１１２に備えられる第二支持部を、柱状に前方へと突出する第二支持部１３０Ｃとしたものである。その他の構成は、第一実施形態に係る清掃具用スタンド１００と同様である。
【００７０】
（第二支持部）
第二支持部１３０Ｃは、図１０及び図１１に示すように、背面部１１２の底面部１１１と接続されている側（図１０及び図１１においては前面）に形成された突出部であり、Ｘ方向から見て、柄部２１０Ｃに形成された孔部２１１ｂに挿通させることができる大きさ及び形状となるように形成される。
図１０においては、第二支持部１３０Ｃが円柱状に形成された場合につき図示したが、例えば、三角柱、四角柱等、その他の柱状となるように形成されていてもよく、具体的な形状はこれに限られない。
【００７１】
また、第二支持部１３０Ｃは、図１０及び図１１に示すように、孔部２１１ｂに第二支持部１３０Ｃを挿通させた状態で、第一支持部１２０と、先端部２１２とが接した状態となるように形成されている。
なお、図１０に示すように孔部２１１ｂを、第二支持部１３０Ｃに対してＺ方向に大きく形成することで、底面部１１１から第二支持部１３０Ｃまでの距離が、第一支持部１２０のＺ方向の高さと、柄部２１０Ｃの下端部から孔部２１１ｂまでの長さと、を足した距離と厳密に同一でなくとも、第一支持部１２０と、先端部２１２とが接した状態を実現できる。
【００７２】
本実施形態によっても、図１０及び図１１に示すように、第一支持部１２０によって柄部２１０Ｃの先端部２１２を支え、第二支持部１３０Ｃによって柄部２１０Ｃの把持部２１１Ｃを支えることで、第一実施形態と同様の効果を得ることができる。また、第二支持部１３０Ｃが孔部２１１ｂを挿通していることで、さらに柄部２１０Ｃを安定した状態で保管することが可能となる。
また、ヘッド部２２０が付いたままの清掃具２００をそのまま保管する場合や、ヘッド部を取り外すことができない清掃具を保管する場合等においても、柄部２１０のみを保管する場合と同様の効果を得ることができる点も、第一実施形態と同様である。
【００７３】
［変形例］
いずれの実施形態においても、清掃具用スタンドは、交換用の使用前のヘッド部２２０を収納する収納部を備えてもよい。
例えば、第一実施形態に係る清掃具用スタンド１００の変形例としては、図１２に示す清掃具用スタンド１００Ｄのように、底面部１１１の背面部１１２が接続されているのとは反対側の端部（図１２においては前端部）に、収納部１４０が備えられる。
【００７４】
（収納部）
収納部１４０は、例えば、図１２に示すように、複数の収納スペース１４１を有する棚状に形成され、それぞれの収納スペース１４１が、ヘッド部２２０を収納できる大きさを有する。
また、最下部の収納スペース１４１も、底面部１１１の上面側よりも高い位置に形成されていることが望ましい。これによって、交換用のヘッド部２２０が、使用後の柄部２１０の水分によって濡れてしまうことを防止できる。
【符号の説明】
【００７５】
２００、２００Ａ  清掃具
２１０、２１０Ａ、２１０Ｂ、２１０Ｃ  柄部
２２０  ヘッド部
１００、１００Ａ、１００Ｂ、１００Ｃ、１００Ｄ  清掃具用スタンド
１１０、１１０Ａ  本体部
１１１  底面部
１１１ａ  載置面
１１２  背面部
１２０、１２０Ｂ  第一支持部
１３０、１３０Ａ、１３０Ｂ、１３０Ｃ  第二支持部
１４０  収納部
【図１】
2020000385.tif 000003
【図２】
2020000385.tif 000004
【図３】
2020000385.tif 000005
【図４】
2020000385.tif 000006
【図５】
2020000385.tif 000007
【図６】
2020000385.tif 000008
【図７】
2020000385.tif 000009
【図８】
2020000385.tif 000010
【図９】
2020000385.tif 000011
【図１０】
2020000385.tif 000012
【図１１】
2020000385.tif 000013
【図１２】
2020000385.tif 000014